(57)【特許請求の範囲】
【請求項１】
元竿の先端に着脱可能な釣竿キャップのキャップ本体の外側に、糸巻きを着脱自在に保持する保持部を設けたことを特徴とする釣竿キャップ。
【請求項２】
保持部は、糸巻きを保持する凸部からなることを特徴とする請求項１記載の釣竿キャップ。
【請求項３】
保持部は、糸巻きを保持する凹部からなることを特徴とする請求項１記載の釣竿キャップ。
【請求項４】
保持部は、糸巻きを内部に収納可能な枠体からなることを特徴とする請求項１記載の釣竿キャップ。
【請求項５】
保持部は、糸巻きを挟持可能に設けられていることを特徴とする請求項２乃至請求項４のいずれか１項に記載の釣竿キャップ。
【請求項６】
キャップ本体に基体が起伏自在に取り付き、当該基体に保持部が設けられていることを特徴とする請求項１乃至請求項５のいずれか１項に記載の釣竿キャップ。
【発明の詳細な説明】
【０００１】
【発明の属する技術分野】
本発明は、釣竿の元竿の先端に装着される釣竿キャップに関する。
【０００２】
【従来の技術】
従来、釣人は、釣場に合わせて数種類の仕掛けを糸巻きに巻いて携帯し、また、例えば渓流釣りで、同じ釣場でも岩場を越えたり藪を通過する場合には、その都度、仕掛けを穂先から一旦外して糸巻きに巻き取り、新たな釣りポイントで再び糸巻きから仕掛けを繰り出して穂先に繋いでいるが、このように仕掛けをその都度取り外したり取り付けたりする作業は面倒である。
【０００３】
ところで、従来、振出竿は、元竿とその内部に振出し可能に収納された少なくとも１本の中竿と穂先とで構成されている。
そして、釣竿を畳んだ際に、元竿に収納した中竿や穂先が飛び出さないように、元竿の先端に釣竿キャップ（以下、「キャップ」という）が着脱自在に装着されているが、斯かるキャップに着目して実開昭５１−１０４９８３号公報には、図１６乃至図１８に示すように元竿１の先端に着脱自在なキャップ本体３に円筒状の糸巻き部５を設けて、穂先から仕掛けを外すことなく当該糸巻き部５に仕掛け７が巻回できるようにしたキャップ９が開示され、また、図示しないが特開平１１−１２７７３７号公報には、糸巻きを回転可能に取り付けたキャップが開示されている。
【０００４】
尚、図１６中、１１，１３は糸巻き部５に巻回した仕掛け７のズレを防止する鍔部で、図１７に示すように下側の鍔部１３に、釣針１５を固定する複数の釣針係止孔１７が設けられている。
而して、これらのキャップによれば、釣場に合った仕掛けを糸巻き部や糸巻きに巻回しておけば直ぐに釣りを始めることができ、また、釣竿を畳んだ僅かな移動であれば、キャップの糸巻き部等に仕掛けを巻き付けておくことができ、次の釣りポイントで直ぐに釣りを始めることが可能となる。
【０００５】
【発明が解決しようとする課題】
しかし乍ら、上記各公報に開示されたキャップは、糸巻き部や糸巻きに一度仕掛けを巻き付けてしまうと直ぐに仕掛けを交換することができず、このため、全く異なる場所に釣場を変えて仕掛けが合わなくなると、糸巻き部等に巻き付けた仕掛けをわざわざ解いて、別の仕掛けに交換しなければならない煩わしさがあった。
【０００６】
本発明は斯かる実情に鑑み案出されたもので、上述の如きキャップに改良を加え、仕掛けを釣場に合わせて速やかに交換することのできるキャップを提供することを目的とする。
【０００７】
【課題を解決するための手段】
斯かる目的を達成するため、請求項１に係るキャップは、元竿の先端に着脱可能なキャップのキャップ本体の外側に、糸巻きを着脱自在に保持する保持部を設けたことを特徴とする。
【０００８】
また、請求項２に係る発明は、請求項１記載のキャップに於て、保持部が糸巻きを保持する凸部からなることを特徴とし、請求項３に係る発明は、請求項１記載のキャップに於て、保持部が糸巻きを保持する凹部からなることを特徴とし、更にまた、請求項４に係る発明は、請求項１記載のキャップに於て、保持部が糸巻きを内部に収納可能な枠体からなることを特徴とする。
【０００９】
そして、請求項５に係る発明は、請求項２乃至請求項４のいずれか１項に記載のキャップに於て、保持部は、糸巻きを挟持可能に設けられていることを特徴とし、請求項６に係る発明は、請求項１乃至請求項５のいずれか１項に記載のキャップに於て、キャップ本体に基体が起伏自在に取り付き、当該基体に保持部を設けたものである。
【００１０】
（作用）
請求項１に係るキャップによれば、保持部を介して糸巻きが着脱自在に保持され、請求項２に係るキャップによれば、凸部からなる保持部が糸巻きを着脱自在に保持し、また、請求項３に係るキャップによれば、凹部からなる保持部が糸巻きを着脱自在に保持し、更にまた、請求項４に係るキャップによれば、枠体からなる保持部が糸巻きを着脱自在に保持する。
【００１１】
そして、請求項５に係るキャップによれば、保持部が糸巻きを着脱自在に挟持し、請求項６に係るキャップによれば、キャップ本体に起伏自在に取り付く基体の保持部に、糸巻きが着脱自在に保持されることとなる。
【００１２】
【発明の実施の形態】
以下、本発明の実施形態を図面に基づき詳細に説明する。
【００１３】
図１及び図２は請求項１，請求項２及び請求項５に係るキャップの一実施形態を示し、図に於て、２１は元竿２３の先端に着脱自在に冠着された合成樹脂またはゴム製のキャップ本体で、図２に示すようにキャップ本体２１は元竿２３の外形形状に沿って有底筒状に形成され、その内部取付孔２５に元竿２３の先端が挿入されている。
【００１４】
そして、キャップ本体２１の上縁部と下縁部の外周に、対向する一対の突片（凸部）２７，２９が周方向へ一体に突設されており、両突片２７，２９は弾性または可撓性を有している。そして、両突片２７，２９間に、従来周知の角型の糸巻き３１が挟持されている。
図１に示すように糸巻き３１は、合成樹脂で形成された扁平な平面視Ｈ字形状をなし、その中央の糸巻き部３３に仕掛け３５が巻回されている。
【００１５】
そして、上記突片２７，２９は、糸巻き部３３の左右に設けられた一対の脚部３７，３９の長さＬより僅かに狭い間隔を以って配置されており、突片２７，２９の弾性に抗してこれらの間隔を広げるように変形させて糸巻き３１を差し込むと、突片２７，２９の弾性力で糸巻き３１が挟持され、また、斯かる弾性力に抗して糸巻き３１を引っ張り出すと、糸巻き３１がキャップ本体２１から取り外せるようになっている。
【００１６】
本実施形態に係るキャップ４１はこのように構成されているから、目標とする釣場に合った仕掛け３５を糸巻き３１に巻回してこれを突片２７，２９間に挟持しておけば、釣場で糸巻き３１を取り外し、仕掛け３５を穂先に繋ぐことで直ぐに釣りを始めることができ、また、釣竿を畳んだ僅かな移動であれば、糸巻き３１に仕掛け３５を巻き付けてこれをキャップ４１に取り付けておくことで、次の釣りポイントで直ぐに釣りを始めることが可能となる。
【００１７】
また、全く異なる場所に釣場を変えて仕掛けが合わなくなっても、仕掛け３５を巻回した糸巻き３１をキャップ４１から取り外し、その釣場に合った仕掛けを巻回した別の糸巻きから仕掛けを穂先に繋いで、その糸巻きを突片２７，２９を介してキャップ４１に取り付けておけばよい。
このように本実施形態は、突片２７，２９を介して糸巻き３１をキャップ４１に着脱自在に取付可能としたので、キャップ４１に取り付けた糸巻き３１を、釣場に合った仕掛けが巻回されたものに容易且つ速やかに交換することができる。
【００１８】
従って、図１６に示す従来例と異なり、仕掛けの交換の際に、糸巻きに巻回した仕掛けをわざわざ解いて別の仕掛けに交換する必要がなくなり、この結果、従来に比し仕掛けを釣場に合わせて容易且つ速やかに交換することができ、直ぐに釣りを始めることができることとなった。
而も、突片２７，２９の弾性に抗してこれらの間隔を広げるように変形させて糸巻き３１を差し込めば、突片２７，２９の弾性力で糸巻き３１が挟持され、また、斯かる弾性力に抗して糸巻き３１を引っ張り出せば、糸巻き３１がキャップ本体２１から簡単に取り外せる等、糸巻き３１の着脱も容易で交換が素早く行える利点を有する。
【００１９】
尚、上記実施形態では、突片２７，２９をキャップ本体２１に一体成形したが、各突片をキャップ本体と別体に形成してこれらをキャップ本体の外周に取り付けてもよい。
図３及び図４は請求項１，請求項３及び請求項５の一実施形態に係るキャップを示し、図中、４３は元竿２３の先端に着脱自在に冠着された合成樹脂またはゴム製のキャップ本体で、図３に示すようにキャップ本体４３は元竿２３の外形形状に沿って有底筒状に形成され、その内部取付孔４５に元竿２３の先端が挿入されている。
【００２０】
そして、図４に示すように本実施形態は、キャップ本体４３の外周に２つの平面視矩形状の凹部４７，４９を左右対称に設けて、夫々の内壁に糸巻き３１の脚部３７，３９の上下端部と両側面を当接可能としたもので、糸巻き３１は、凹部４７，４９を形成するキャップ本体４３の弾性力で保持されるようになっている。
【００２１】
本実施形態に係るキャップ５１はこのように構成されているから、各凹部４７，４９の内壁に、糸巻き３１の脚部３７，３９の上下端部と両側面を当接させて糸巻き３１を凹部４７，４９内に押し込むと、キャップ本体４３の弾性力で糸巻き３１が挟持され、また、斯かる弾性力に抗して糸巻き３１を引っ張り出すと、糸巻き３１がキャップ本体４３（凹部４７，４９）から取り外せることとなる。
【００２２】
そして、目標とする釣場に合った仕掛け３５と、これとは別の仕掛け３５-1を夫々の糸巻き３１に巻回して各凹部４７，４９内に収納しておけば、目標とする釣場で仕掛け３５を用いて直ぐに釣りを始めることができ、また、釣竿を畳んだ僅かな移動であれば、キャップ５１に装着した糸巻き３１に仕掛け３５を巻き付けておくことで、次の釣りポイントで直ぐに釣りを始めることが可能となる。
【００２３】
また、全く異なる場所に釣場を変えて仕掛け３５-1を用いる場合には、仕掛け３５に代え、他方の糸巻き３１に巻回した仕掛け３５-1を使用すればよい。
このように本実施形態は、キャップ本体４３の外周に設けた凹部４７，４９内に、仕掛け３５を巻回した糸巻き３１と仕掛け３５-1を巻回した糸巻き３１とを着脱自在に収納したので、上述したキャップ４１に比し、仕掛けを釣場に合わせてより速やかに交換することができることとなった。
【００２４】
而も、各凹部４７，４９の内壁に、糸巻き３１の脚部３７，３９の上下端部と両側面を当接させて糸巻き３１を凹部４７，４９内壁に押し込めば、キャップ本体４３の弾性力で糸巻き３１が挟持され、また、斯かる弾性力に抗して糸巻き３１を引っ張り出せば、糸巻き３１がキャップ本体４３から簡単に取り外せるので、本実施形態によっても、糸巻き３１の着脱が容易で交換が素早く行える利点を有する。
【００２５】
尚、上述した凹部４７，４９の構造に代え、凹部の開口部付近を狭く形成したり、糸巻き３１の抜止め用凹凸を設けることで、凹部内に糸巻き３１を多少遊びを持って収納するように構成してもよい。
図５及び図６は請求項１及び請求項２の一実施形態に係るキャップを示し、図中、５３は元竿２３の先端に着脱自在に冠着された合成樹脂またはゴム製のキャップ本体で、図６に示すようにキャップ本体５３は元竿２３の外形形状に沿って有底筒状に形成され、その内部取付孔５５に元竿２３の先端が挿入されている。
【００２６】
そして、図示するように本実施形態は、キャップ本体５３の外周に保持突起５７を外方へ一体に突設し、当該保持突起５７を、従来周知の丸型の糸巻き５９の中心孔６１に差し込むことで糸巻き５９をキャップ本体５３に着脱自在に保持させることを特徴としており、保持突起５７は糸巻き５９の取付け時に、その先端の抜止め用突起６３が弾性変形して糸巻き５９が保持突起５７に係合する。
【００２７】
尚、上記抜止め用突起６３がなくても、保持突起５７の弾性で糸巻き５９の中心孔６１を押圧してこれを保持させてもよい。
本実施形態に係るキャップ６５はこのように構成されており、本実施形態によっても、図１のキャップ４１と同様、キャップ６５に取り付けた糸巻き５９を、釣場に合った仕掛けが巻回されたものに容易に交換することができるため、従来に比し仕掛けを釣場に合わせて速やかに交換することができ、直ぐに釣りを始めることができる。
【００２８】
而も、中心孔６１への保持突起５７の挿脱によって糸巻き５９がキャップ本体５３に着脱できるため、糸巻き５９の交換が素早く行える利点を有する。
図７及び図８は請求項１及び請求項４の一実施形態に係るキャップを示し、図中、６７は元竿２３の先端に着脱自在に冠着された合成樹脂またはゴム製のキャップ本体で、図８に示すようにキャップ本体６７は元竿２３の外形形状に沿って有底筒状に形成され、その内部取付孔６９に元竿２３の先端が挿入されている。
【００２９】
そして、本実施形態は、キャップ本体６７の外周に糸巻き３１が余裕を持って収納可能な平面視矩形状のケース（枠体）７１を外方へ一体に突設すると共に、当該ケース７１内の収納部７３を覆う１枚の蓋体７５をケース７１に一体に連設したもので、蓋体７５に設けたストッパ７７をケース７１側のストッパ７９に係止させることで、収納部７３が蓋体７５によって閉鎖されるようになっている。
【００３０】
本実施形態に係るキャップ８１はこのように構成されているから、目標とする釣場に合った仕掛け３５を巻回した糸巻き３１を収納部７３に収納して蓋体７５を閉めておけば、釣場で糸巻き３１を取り出し、仕掛け３５を穂先に繋ぐことで直ぐに釣りを始めることができ、また、釣竿を畳んだ僅かな移動であれば、糸巻き３１に仕掛け３５を巻き付けてこれを収納部７３に収納しておくことで、次の釣りポイントで直ぐに釣りを始めることができる。
【００３１】
また、全く異なる処に釣場を変えて仕掛けが合わなくなっても、仕掛け３５を巻回した糸巻き３１をケース７１から取り出し、その釣場に合った仕掛けを巻回した別の糸巻きから仕掛けを穂先に繋いで、その糸巻きを収納部７３に収納しておけばよい。
このように本実施形態は、キャップ本体６７に一体成形したケース７１内に糸巻き３１を着脱自在に収納したので、糸巻き３１を釣場に合った仕掛けが巻回されたものに容易に交換することができ、この結果、図１６に示す従来例と異なり、仕掛けの交換の際に、糸巻きに巻回した仕掛けをわざわざ解いて別の仕掛けに交換する必要がなくなり、従来に比し仕掛けを釣場に合わせて容易且つ速やかに交換することができ、直ぐに釣りを始めることができることとなった。
【００３２】
而も、蓋体７５の開閉で収納部７３内に糸巻き３１を着脱できるため、糸巻き３１の着脱が容易で交換が素早く行える利点を有する。
図９及び図１０は請求項１及び請求項３の一実施形態に係るキャップを示し、図中、８３は元竿２３の先端に着脱自在に冠着された合成樹脂またはゴム製のキャップ本体で、図１０に示すようにキャップ本体８３は元竿２３の外形形状に沿って有底筒状に形成され、その内部取付孔８５に元竿２３の先端が挿入されている。
【００３３】
而して、図１０に示すように本実施形態は、キャップ本体８３の外周に１つの平面視矩形状の凹部８７を形成して、当該凹部８７内に糸巻き３１を余裕を持たせて収納可能とすると共に、１本の帯状のベルト８９で糸巻き３１の脱落防止を図ったもので、図９に示すようにベルト８９はその一端側が凹部８７の一側縁部に止着され、他端側に、凹部８７の他側縁部に突設した小突起９１が挿通可能な小孔９３が設けられている。
【００３４】
そして、図示するように上記小孔９３に小突起９１を挿通させることで、凹部８７に収納した糸巻き３１の脱落防止が図られるようになっている。
本実施形態に係るキャップ９５はこのように構成されているから、上記凹部８７内に糸巻き３１を収納して図９の如くその上部にベルト８９を架け渡せば、糸巻き３１の脱落防止が図られる。
【００３５】
従って、目標とする釣場に合った仕掛け３５を糸巻き３１に巻回してこれを凹部８７内にベルト８９で保持しておけば、釣場で糸巻き３１を取り外し、仕掛け３５を穂先に繋ぐことで直ぐに釣りを始めることができ、また、釣竿を畳んだ僅かな移動であれば、糸巻き３１に仕掛け３５を巻き付けてこれを凹部８７内にベルト８９で保持しておくことで、次の釣りポイントで直ぐに釣りを始めることが可能となる。
【００３６】
また、全く異なる場所に釣場を変えて仕掛け３５が合わなくなっても、仕掛け３５を巻回した糸巻き３１を凹部８７から取り出して、その釣場に合った仕掛けを巻回した別の糸巻きから仕掛けを穂先に繋いで、その糸巻きを凹部８７内にベルト８９を用いて取り付ければよい。
従って、本実施形態によっても、図１のキャップ４１と同様、所期の目的を達成することが可能である。
【００３７】
尚、上記凹部８７に代え、図３の実施形態で既述した凹部４７をキャップ本体８３の外周に設けてもよい。
図１１乃至図１４は請求項１乃至請求項３，請求項５及び請求項６の第一実施形態に係るキャップを示し、図中、９７は元竿２３の先端に着脱自在に冠着された合成樹脂またはゴムからなるキャップ本体で、図１２に示すようにキャップ本体９７は元竿２３の外形形状に沿って有底筒状に形成され、その内部取付孔９９に元竿２３の先端が挿入されている。
【００３８】
そして、図１１乃至図１３に示すように上記キャップ本体９７の上部外周に、キャップ本体９７と同一材料からなる平面視矩形状の基体１０１が支軸１０３を介して矢印Ａ，Ｂ方向へ起伏自在に軸着されており、基体１０１はキャップ本体９７の外周に当接する裏面側に凹部１０５が形成されている。そして、凹部１０５の周縁部はキャップ本体９７の外周に沿った形状とされており、図１２の如く基体１０１を矢印Ａ方向へ倒してキャップ本体９７の外周に近接させると、凹部１０５が当該外周との間に僅かな隙間を以って閉鎖されるようになっている。
【００３９】
而して、上記凹部１０５は、図３に示す凹部４７と同様、その内壁に糸巻き３１の脚部３７，３９の上下端部と両側面が当接可能に形成されており、糸巻き３１は、凹部１０５を形成する基体１０１の弾性力で保持されている。
また、上記凹部１０５の底部、即ち、基体１０１の背面部１０７には円形状の押出孔１０９が設けられており、当該押出孔１０９に指を挿入することで、凹部１０５内に収納した糸巻き３１を外方へ取り出すことができるようになっている。
【００４０】
そして、図１１乃至図１４に示すように上記背面部１０７の外側には、糸巻き５９の外形形状に沿って上下に、夫々、弾性を有する一対宛の突片１１１，１１３，１１５，１１７が外方へ突設されており、当該各突片１１１，１１３，１１５，１１７間に糸巻き５９を収納すると、図１４に示すように各突片１１１，１１３，１１５，１１７の先端に設けた抜止め凸部１１９が糸巻き５９の両フランジ１２１，１２３間に位置して、その脱落防止を図るようになっている。
【００４１】
本実施形態に係るキャップ１２５はこのように構成されているから、凹部１０５の内壁に糸巻き３１の脚部３７，３９の上下端部と両側面を当接させてこれを凹部１０５内に押し込むと、基体１０１の弾性力で糸巻き３１が挟持され、図１２の如く基体１０１を矢印Ａ方向へ倒してキャップ本体９７の外周に近接させると、凹部１０５がキャップ本体９７との間に僅かな隙間を以って閉鎖される。
【００４２】
そして、図１３の如く基体１０１を展開して押出孔１０９に指を挿入すれば、凹部１０５内に収納した糸巻き３１を取り出すことができる。
また、図１１及び図１４に示すように各突片１１１，１１３，１１５，１１７間に糸巻き５９を収納すると、各突片１１１，１１３，１１５，１１７の先端の抜止め凸部１１９が糸巻き５９のフランジ１２１，１２３間に位置して、糸巻き５９の脱落防止を図り、そして、各突片１１１，１１３，１１５，１１７の弾性力に抗して糸巻き５９を引っ張ると、糸巻き５９が取り出される。
【００４３】
而して、目標とする釣場に合った仕掛け３５と、これとは別の仕掛けを糸巻き３１，５９に巻回してこれをキャップ１２５に取り付けておけば、目標とする釣場で仕掛け３５を用いて直ぐに釣りを始めることができ、また、釣竿を畳んだ僅かな移動であれば、キャップ１２５に装着した糸巻き３１に仕掛け３５を巻き付けておくことで、次の釣りポイントで直ぐに釣りを始めることが可能となる。
【００４４】
また、全く異なる場所に釣場を変えて、他方の糸巻き５９に巻回した仕掛けを用いる場合には、仕掛け３５に代えて糸巻き５９に巻回した仕掛けを使用すればよい。
従って、本実施形態によっても、図３のキャップ５１と同様、２種類の仕掛け３５を夫々巻回した糸巻き３１，５９を着脱自在に取り付けたので、仕掛けを釣場に合わせてより速やかに交換することができ、また、糸巻き３１，５９の着脱が容易で交換が素早く行える利点を有する。
【００４５】
尚、本実施形態にあっても、上述した凹部１０５の構造に代え、凹部の開口部付近を狭く形成したり、糸巻き３１の抜止め用凹凸を設けることで、凹部内に糸巻き３１を多少遊びを持って収納するように構成してもよいし、各突片１１１，１１３，１１５，１１７で糸巻き５９を挟持可能に構成してもよい。
また、上述した各実施形態は、キャップ本体の内部取付孔に元竿の先端を挿入して、元竿の先端にキャップを着脱自在に冠着したものに本発明を適用したが、図１５に示す請求項１乃至請求項３，請求項５及び請求項６の第二実施形態に係るキャップ１２７のように、キャップ本体１２９に元竿２３への嵌合部１３１を設けて、キャップ本体１２９が元竿２３の先端に栓の如く差し込まれるタイプのキャップに本発明を適用してもよい。
【００４６】
而して、斯かる構造によっても、上述した各実施形態と同様、所期の目的を達成することが可能である。
【００４７】
【発明の効果】
以上述べたように、各請求項に係るキャップによれば、保持部を介して糸巻きをキャップに着脱自在に取付可能としたので、キャップに取り付けた糸巻きを、釣場に合った仕掛けが巻回されたものに容易且つ速やかに交換することができる。
【００４８】
従って、仕掛けの交換の際に、糸巻きに巻回した仕掛けをわざわざ解いて別の仕掛けに交換する必要がなくなり、この結果、従来に比し仕掛けを釣場に合わせて容易且つ速やかに交換することができ、直ぐに釣りを始めることができることとなった。
而も、各請求項に係る発明によれば、糸巻きの着脱も容易で交換が素早く行える利点を有する。
【図面の簡単な説明】
【図１】請求項１，請求項２及び請求項５の一実施形態に係るキャップの正面図である。
【図２】図１に示すキャップの断面図である。
【図３】請求項１，請求項３及び請求項５の一実施形態に係るキャップの正面図である。
【図４】図３に示すキャップの断面図である。
【図５】請求項１及び請求項２の一実施形態に係るキャップの正面図である。
【図６】図５に示すキャップの断面図である。
【図７】請求項１，請求項４及び請求項５の一実施形態に係るキャップの正面図である。
【図８】図７に示すキャップの断面図である。
【図９】請求項１及び請求項４の一実施形態に係るキャップの正面図である。
【図１０】図９に示すキャップの断面図である。
【図１１】請求項１乃至請求項３，請求項５及び請求項６の第一実施形態に係るキャップの正面図である。
【図１２】図１１に示すキャップの断面図である。
【図１３】図１１に示すキャップに取り付く基体の展開時の断面図である。
【図１４】図１１に示すキャップの断面図である。
【図１５】請求項１乃至請求項３，請求項５及び請求項６の第二実施形態に係るキャップの断面図である。
【図１６】従来のキャップの正面図である。
【図１７】図１６のXVII−XVII線断面図である。
【図１８】図１６に示すキャップの使用状態の正面図である。
【符号の説明】
２１，４３，５３，６７，８３，９７，１２９  キャップ本体
２３  元竿
２７，２９，１１１，１１３，１１５，１１７  突片
３１，５９  糸巻き
３５，３５-1  仕掛け
４１，５１，６５，８１，９５，１２５，１２７  キャップ
４７，４９，１０５  凹部
５７  保持突起
７１  ケース
７３  収納部
７５  蓋体
８７  凹部
８９  ベルト
１０１  基体
１０９  押出孔
１３１  嵌合部
【図１】
0004546672.tif 000002
【図２】
0004546672.tif 000003
【図３】
0004546672.tif 000004
【図４】
0004546672.tif 000005
【図５】
0004546672.tif 000006
【図６】
0004546672.tif 000007
【図７】
0004546672.tif 000008
【図８】
0004546672.tif 000009
【図９】
0004546672.tif 000010
【図１０】
0004546672.tif 000011
【図１１】
0004546672.tif 000012
【図１２】
0004546672.tif 000013
【図１３】
0004546672.tif 000014
【図１４】
0004546672.tif 000015
【図１５】
0004546672.tif 000016
【図１６】
0004546672.tif 000017
【図１７】
0004546672.tif 000018
【図１８】
0004546672.tif 000019